(57)【要約】  【課題】  電気接続箱の内部回路を少なくとも３つのプリント基板で構成することにより、それぞれのプリント基板を小型化すると共に、これらプリント基板の導体同士の接続を中継コネクタを用いて容易に接続する。  【解決手段】  ケース内に第１、第２、第３プリント基板が間隔をあけて収容され、中間位置の第２プリント基板に短尺中継コネクタが搭載されると共に、第３プリント基板に長尺中継コネクタが搭載され、該長尺中継コネクタは第２プリント基板の周縁に設けた切欠を通して第１プリント基板側に突出され、第１、第３プリント基板の導体と導通した端子が長尺中継コネクタ内の長尺中継端子を介して接続されている一方、短尺中継コネクタ内に収容され、かつ、第２プリント基板の導体と導通した短尺中継端子に第１、第３プリント基板のいずれか一方の導体と導通した端子が接続されている。  【選択図】  図１
2007028871.tif 000002
【特許請求の範囲】
【請求項１】
ケース内に第１、第２、第３プリント基板が間隔をあけて積層して収容され、中間位置の第２プリント基板に第１プリント基板側に突出された背の低い短尺中継コネクタが搭載されると共に、第３プリント基板に第１、第２プリント基板側に向けて突出された背の高い長尺中継コネクタが搭載され、該長尺中継コネクタは第２プリント基板の周縁に設けられた切欠を通して第１プリント基板側に突出され、
前記長尺中継コネクタの端子収容室には長尺中継端子が収容され、該端子収容室に挿入される第１、第３プリント基板の導体と導通された端子が前記長尺中継端子を介して接続されている一方、
前記短尺中継コネクタの端子収容室には第２プリント基板の導体と導通した短尺中継端子が収容され、該端子収容室に挿入される第１、第３プリント基板のいずれか一方の導体と導通された端子が前記短尺中継端子と接続されていることを特徴とする電気接続箱。
【請求項２】
前記第３プリント基板上の前記長尺中継コネクタは背の高い長尺部と背の低い短尺部が一体的に設けられ、前記長尺部の端子収容室に前記長尺中継端子が収容される一方、前記短尺部の端子収容室には第３プリント基板の導体と導通された端子が貫通保持され、該端子の突出部が前記第２プリント基板上の前記短尺中継コネクタの端子収容室に挿入されて前記短尺中継端子と接続されている請求項１に記載の電気接続箱。
【請求項３】
前記第２プリント基板上の前記短尺中継コネクタの両側部に前記短尺中継端子の端子収容室が設けられていると共に、該両側部に挟まれた中央部に凹部あるいは貫通孔を設けており、該凹部あるいは貫通孔を第２プリント基板の切欠と対向する位置に配置し、前記第３プリント基板に搭載した長尺中継コネクタが第２プリント基板の切欠と前記凹部あるいは貫通孔を通して第２プリント基板から第１プリント基板側に突出している請求項１または請求項２に記載の電気接続箱。
【請求項４】
前記短尺中継コネクタは前記第２プリント基板の切欠を挟む両側にそれぞれ搭載され、前記第３プリント基板に搭載した長尺中継コネクタが第２プリント基板の切欠と第２プリント基板に搭載した２つの前記短尺中継コネクタ間を通して第２プリント基板から第１プリント基板側に突出している請求項１または請求項２に記載の電気接続箱。
【請求項５】
前記第３プリント基板には基板実装リレーが搭載される一方、前記第２プリント基板に多重通信用回路が設けられている請求項１乃至請求項４のいずれか１項に記載の電気接続箱。
【請求項６】
バスバーと絶縁板とが交互に積層された積層体が、前記第１プリント基板あるいは／および第３プリント基板の前記第２プリント基板との反対向面に配置され、前記バスバーと前記第１プリント基板、第２プリント基板あるいは／および第３プリント基板の導体とが直接あるいは前記中継端子を介して接続されている請求項１乃至請求項５のいずれか１項に記載の電気接続箱。
【発明の詳細な説明】
【技術分野】
【０００１】
本発明は、自動車に搭載される電気接続箱に関し、詳しくは、ケース内に収容された３つのプリント基板の導体同士を中継コネクタを介して接続するものである。
【背景技術】
【０００２】
従来、自動車に搭載される電気接続箱のケース内に、導電性金属板を所要形状に打ち抜いて形成したバスバーと絶縁板とを交互に積層した積層体や、絶縁基板に銅箔等からなる導体を所要の回路パターンに印刷したプリント基板等の回路体が収容されている。この回路体が１つのケース内に複数個層状に収容されている場合には、各回路体の導体を中継コネクタを介して接続し、導体同士を接続している。
【０００３】
この種の中継コネクタを収容した電気接続箱１が特開２００１−１５９５２号（特許文献１）で提供されている。該電気接続箱１は、図１１に示すように、バスバー積層体２とプリント基板３を備え、バスバー積層体２の絶縁板に中継端子（図示せず）を収容したハウジング（中継コネクタ）４を突設している。該ハウジング４内の中継端子には下方からバスバー積層体２のバスバーを接続すると共に、上方からは接続端子５の一端５ａを接続し、該接続端子５の他端５ｂをプリント基板３の導体に半田付けしている。これにより、バスバー積層体２のバスバーとプリント基板３の導体とを接続している。
また、特許文献１で提供されている中継コネクタを用いた接続構造は、前記ハウジング４と同様のハウジングをプリント基板に搭載することによって、プリント基板の導体同士の接続にも適用することができる。
【０００４】
しかしながら、近年の電装品の急激な増加に伴う回路数の増加により、２つの回路体で所要の回路を形成しようとすると、回路体が水平方向に大きくなって、電気接続箱が水平方向に大型化する問題がある。
【０００５】
そこで、電気接続箱のケース内に上下方向に間隔をあけて３つの回路体を収容して、回路体の導体同士を接続する構造とすると、各回路体を小型化することができる。しかし、前記のような中継コネクタでは接続構造が複雑になると共に、上方位置の回路体の導体と下方位置の回路体の導体とを接続する端子が長尺となって、接続作業が行いにくくなる問題がある。
【特許文献１】特開２００１−１５９５２号公報
【発明の開示】
【発明が解決しようとする課題】
【０００６】
本発明は前記問題に鑑みてなされたものであり、電気接続箱の内部回路を少なくとも３つのプリント基板で構成することにより、それぞれのプリント基板を小型化すると共に、これらプリント基板の導体同士の接続を中継コネクタを用いて容易に接続することを課題としている。
【課題を解決するための手段】
【０００７】
前記課題を解決するため、本発明は、ケース内に第１、第２、第３プリント基板が間隔をあけて積層して収容され、中間位置の第２プリント基板に第１プリント基板側に突出された背の低い短尺中継コネクタが搭載されると共に、第３プリント基板に第１、第２プリント基板側に向けて突出された背の高い長尺中継コネクタが搭載され、該長尺中継コネクタは第２プリント基板の周縁に設けられた切欠を通して第１プリント基板側に突出され、
前記長尺中継コネクタの端子収容室には長尺中継端子が収容され、該端子収容室に挿入される第１、第３プリント基板の導体と導通された端子が前記長尺中継端子を介して接続されている一方、
前記短尺中継コネクタの端子収容室には第２プリント基板の導体と導通した短尺中継端子が収容され、該端子収容室に挿入される第１、第３プリント基板のいずれか一方の導体と導通された端子が前記短尺中継端子と接続されていることを特徴とする電気接続箱を提供している。
【０００８】
前記構成によれば、第３プリント基板に搭載した長尺中継コネクタの端子収容室に収容した長尺中継端子を介して第１プリント基板の導体と導通した端子と第３プリント基板の導体と導通した端子を接続することができると共に、第２プリント基板に搭載した短尺中継コネクタの端子収容室に収容した短尺中継端子を介して第１、第３プリント基板の導体と導通した端子と第２プリント基板の導体とを接続することができる。
このように、電気接続箱の内部回路を少なくとも３つのプリント基板に分割しているため、各プリント基板を小さくすることができ、電気接続箱を小型化することができる。
また、第３プリント基板上の長尺中継コネクタを第２プリント基板に設けた切欠を通して第１プリント基板側に突出させているため、第１プリント基板の導体に導通した端子と第３プリント基板の導体に導通した端子がそれぞれ長尺になりすぎることがなく容易に接続することができる。
さらに、第２プリント基板に搭載した短尺中継コネクタ内の短尺中継端子と第３プリント基板の導体と導通する端子とを嵌合接続する際、第１プリント基板の導体と導通する端子と第３プリント基板の導体と導通する端子とを接続する長尺中継コネクタは第２プリント基板の切欠を通しているだけである。よって、このとき第３プリント基板の導体と導通する端子と長尺中継端子との嵌合接続作業をしていないため、接続に必要な荷重が大きくなりすぎることがなく、組付作業を容易にすることができる。
【０００９】
前記第３プリント基板上の前記長尺中継コネクタは背の高い長尺部と背の低い短尺部が一体的に設けられ、前記長尺部の端子収容室に前記長尺中継端子が収容される一方、前記短尺部の端子収容室には第３プリント基板の導体と導通された端子が貫通保持され、該端子の突出部が前記第２プリント基板上の前記短尺中継コネクタの端子収容室に挿入されて前記短尺中継端子と接続されていることが好ましい。
【００１０】
前記構成によれば、第３プリント基板に搭載した長尺中継コネクタの短尺部に設けた端子収容室で第３プリント基板の導体に導通した端子を保持しているため、第３プリント基板の導体と端子とを接続する半田にかかる負荷を軽減して、半田クラックの発生を防止することができる。
【００１１】
前記第２プリント基板上の前記短尺中継コネクタの両側部に前記短尺中継端子の端子収容室が設けられていると共に、該両側部に挟まれた中央部に凹部あるいは貫通孔を設けており、該凹部あるいは貫通孔を第２プリント基板の切欠と対向する位置に配置し、前記第３プリント基板に搭載した長尺中継コネクタが第２プリント基板の切欠と前記凹部あるいは貫通孔を通して第２プリント基板から第１プリント基板側に突出していることが好ましい。
【００１２】
前記構成によれば、第２プリント基板の同一辺に間隔をあけて別個の短尺中継コネクタを搭載するのではなく、第２プリント基板の切欠に対向する箇所に凹部あるいは貫通孔を設けて１つの短尺中継コネクタとしているため、短尺中継コネクタの強度を高めることができる。これにより、短尺中継コネクタ内の短尺中継端子に第１、第３プリント基板の導体と導通した端子を嵌合接続する際に負荷を受けても短尺中継コネクタの損傷や短尺中継コネクタの第２プリント基板からの脱落を防止することができる。
また、第２プリント基板の同一辺に間隔をあけて別個の短尺中継コネクタを搭載する場合と比較して、プリント基板への搭載作業を容易にすることができる。
【００１３】
また、前記短尺中継コネクタは前記第２プリント基板の切欠を挟む両側にそれぞれ搭載され、前記第３プリント基板に搭載した長尺中継コネクタが第２プリント基板の切欠と第２プリント基板に搭載した２つの前記短尺中継コネクタ間を通して第２プリント基板から第１プリント基板側に突出している構成としてもよい。
【００１４】
前記第３プリント基板には基板実装リレーが搭載される一方、前記第２プリント基板に多重通信用回路が設けられていることが好ましい。
前記構成によれば、多重通信用回路を第２プリント基板に集中配置することにより、電気接続箱の内部回路を効率良く配置することができる。特に、本発明では、発熱量の多いパワー系回路を備えた第３プリント基板をケースの外面近くに配置すると共に、発熱量の少ない信号系回路（通信用回路）を備えた第２プリント基板を第１プリント基板と第３プリント基板とに挟まれたケース内側に配置しているため、放熱性の面でも好適な配置が可能となる。
また、信号系回路を第２プリント基板に集中配置する一方、パワー系回路を第３プリント基板に集中配置することにより、第２プリント基板の導体と第３プリント基板の導体をそれぞれ最適な厚さにすることができる。
さらに、通信用回路に変更が生じても第２プリント基板のみを変更することで容易に対応することができる。
【００１５】
バスバーと絶縁板とが交互に積層された積層体が、前記第１プリント基板あるいは／および第３プリント基板の前記第２プリント基板との反対向面に配置され、前記バスバーと前記第１プリント基板、第２プリント基板あるいは／および第３プリント基板の導体とが直接あるいは前記中継端子を介して接続されている構成としてもよい。
【発明の効果】
【００１６】
前述したように、本発明によれば、第３プリント基板に搭載した長尺中継コネクタの端子収容室に収容した長尺中継端子を介して第１プリント基板の導体と導通した端子と第３プリント基板の導体と導通した端子を接続することができると共に、第２プリント基板に搭載した短尺中継コネクタの端子収容室に収容した短尺中継端子を介して第１、第３プリント基板の導体と導通した端子と第２プリント基板の導体とを接続することができる。
このように、電気接続箱の内部回路を少なくとも３つのプリント基板に分割しているため、各プリント基板を小さくすることができ、電気接続箱を小型化することができる。
また、第３プリント基板上の長尺中継コネクタを第２プリント基板に設けた切欠を通して第１プリント基板側に突出させているため、第１プリント基板の導体に導通した端子と第３プリント基板の導体に導通した端子が長尺にならず容易に接続することができる。
さらに、第２プリント基板に搭載した短尺中継コネクタ内の短尺中継端子と第３プリント基板の導体と導通する端子とを嵌合接続する際、第１プリント基板の導体と導通する端子と第３プリント基板の導体と導通する端子とを接続する長尺中継コネクタは第２プリント基板の切欠を通している。よって、接続に必要な荷重が大きくなりすぎることがなく、組付作業を容易にすることができる。
【発明を実施するための最良の形態】
【００１７】
本発明の実施形態を図面を参照して説明する。
図１乃至図７は、本発明の第１実施形態を示し、電気接続箱１０は、アッパーケース１１、中間ケース１２、ロアケース１３を組み付けたケース内に、バスバー２１と絶縁板２２を交互に積層した積層体２０と３枚の第１、第２、第３プリント基板３０、４０、５０を上下に間隔をあけて収容固定している。バスバー２１と３枚の第１〜第３プリント基板３０、４０、５０の導体３１、４１、５１を所要の端子と第２プリント基板４０に搭載した短尺中継コネクタ６０あるいは第３プリント基板５０に搭載した長尺中継コネクタ７０を介して接続している。
【００１８】
詳細には、アッパーケース１１と中間ケース１２とで囲まれた空間内に、積層体２０と第１プリント基板３０を上下に重ねて収容している一方、中間ケース１２とロアケース１３とで囲まれた空間内に第２プリント基板４０と第３プリント基板５０を上下に間隔をあけて収容している。
【００１９】
第３プリント基板５０の上面側に搭載する背の高い長尺中継コネクタ７０のハウジング７１は、図２に示すように、中央の背の高い長尺部７１ａと両側の背の低い短尺部７１ｂが一体的に設けられ、中央が上方に突出した形状としている。該長尺部７１ａの上部側は後述するように第２プリント基板４０に設けた切欠４２ｂを通して第１プリント基板３０側に突出される。
【００２０】
ハウジング７１の長尺部７１ａには、上下方向に貫通する端子収容室７２を複数並列させて設けており、該端子収容室７２内に上下両端を雌端子部７３ａ、７３ｂとした上下方向に長い長尺中継端子７３を収容している。端子収容室７２の上端から第１プリント基板３０の導体３１に半田付けにより導通された端子３２またはバスバー２１に設けられたタブ２１ａが挿入されて長尺中継端子７３の上部側の雌端子部７３ａに嵌合接続される。一方、端子収容室７２の下端から第３プリント基板５０の導体５１に半田付けにより導通された端子５２が挿入されて長尺中継端子７３の下部側の雌端子部７３ｂに嵌合接続される。即ち、第１プリント基板３０の導体３１に接続された端子３２及びバスバー２１に設けられたタブ２１ａと第３プリント基板５０の導体５１に接続された端子５２とは長尺中継端子７３を介して接続される。また、ハウジング７１の長尺部７１ａの上端面には、端子収容室７２間の所要箇所に後述するガイド棒３５を挿入するガイド溝７４を設けている。
【００２１】
一方、ハウジング７１の短尺部７１ｂには上下方向に貫通する端子収容室７５を複数並列させて設けており、該端子収容室７５を第３プリント基板５０の導体５１に導通された端子５３が貫通している。端子収容室７５の下部側は大径とする一方、上部側を小径とし、該小径部分の内周面を端子５３の外周面に当接させて端子５３を保持している。また、短尺部７１ｂの下端面の両端にクリップ７６を設けており、該クリップ７６を第３プリント基板５０の基板５４に設けた係止孔５４ａに挿入係止している。
【００２２】
なお、第３プリント基板５０の導体５１の厚さは７０μｍであり、該導体５１にワイパーやヘッドライト等への電源供給を制御する基板実装リレー５５を実装している。
【００２３】
第２プリント基板４０の上面に搭載する背の低い短尺中継コネクタ６０のハウジング６１は、横長の中央部６１ａと、該中央部６１ａの前面６１ｃ（図４（Ａ）中の下方側）の両端から側方に向けて突出する両側部６１ｂとからなる。即ち、両側部６１ｂは中央部６１ａよりも前方に設けられており、両側部の内側端面６１ｄ及び中央部６１ａの前面６１ｃとで凹部６２が形成されている。
【００２４】
ハウジング６１の中央部６１ａと両側部６１ｂには、上下方向に貫通する端子収容室６３が複数並列させて設けられており、該端子収容室６３には、雌端子部６４ａと、該雌端子部６４ａと導通する雄端子部６４ｂとを備えた短尺中継端子６４を収容している。該短尺中継端子６４の雄端子部６４ｂはハウジング６１の下端面から外部へ下向きに突出している。また、中央部６１ａの下端面の中央にネジ孔６５を設けると共に、両側部６１ｂの下端面の両端に位置決め突起６６を設けている。
【００２５】
前記短尺中継コネクタ６０は、図５に示すように、ハウジング６１の下端面に設けた位置決め突起６６を第２プリント基板４０の基板４２に設けた貫通穴４２ａに挿入して、短尺中継コネクタ６０を基板４２上の所要箇所に位置決めしている。この状態で基板４２の下面側からネジ６７を基板４２の貫通穴（図示せず）に通してハウジング６１のネジ孔６５に挿入し、短尺中継コネクタ６０を基板４２にネジ締め固定している。また、短尺中継端子６４の雄端子部６４ｂは第２プリント基板４０の導体４１に半田付けにより接続している。
【００２６】
第２プリント基板４０の基板４２には、短尺中継コネクタ６０の凹部６２に対応する位置に切欠４２ｂを設けており、該切欠４２ｂ上にハウジング６１の両側部６１ｂを部分的に突出させている。切欠４２ｂ上に突出した両側部６１ｂに設けられた端子収容室６３には、図１に示すように、第３プリント基板５０の導体５１に半田付けにより導通された端子５３が下方から挿入されて短尺中継端子６４の雌端子部６４ａに嵌合接続される。一方、中央部６１ａと第２プリント基板４０の基板４２上に配置された両側部６１ｂに設けられた端子収容室６３には、第１プリント基板３０の導体３１に半田付けにより導通された端子３３が上方から挿入され、短尺中継端子６４の雌端子部６４ａに嵌合接続される。よって、端子５３と短尺中継端子６４を介して第２プリント基板４０の導体４１と第３プリント基板５０の導体５１が接続されると共に、端子３３と短尺中継端子６４を介して第２プリント基板４０の導体４１と第１プリント基板３０の導体３１が接続される。
なお、第２プリント基板４０には多重通信回路が設けられており、厚さ１８μｍの導体４１に種々の電子部品を実装している。
【００２７】
第１プリント基板３０の導体３１に半田付けにより導通させた端子３２、３３は、下方の第２プリント基板４０側に突出すると共に、第１プリント基板３０の上面側に配置した積層体２０のバスバー２１に設けたタブ２１ａは、第１プリント基板３０の基板に設けた貫通穴（図示せず）を通して第２プリント基板４０側に突出している。また、第１プリント基板３０の下面側には端子保持部材３４を取付けており、該端子保持部材３４に設けた貫通穴（図示せず）に端子３２、３３を通して保持すると共に、バスバー２１のタブ２１ａは端子保持部材３４に設けた大径の貫通穴（図示せず）に通している。さらに、端子保持部材３４には所要箇所にガイド棒３５を突設しており、該ガイド棒３５が第３プリント基板５０に搭載した長尺中継コネクタ７０のガイド溝７４に挿入されて、長尺中継コネクタ７０が第１プリント基板３０に対して位置決めされる。
なお、第１プリント基板３０の導体３１の厚さは第３プリント基板５０の導体５１と同様７０μｍとしている。
【００２８】
前記第２プリント基板４０と第３プリント基板５０を組み付けた状態では、図６に示すように、第３プリント基板５０に搭載した長尺中継コネクタ７０の長尺部７１ａが第２プリント基板４０の基板４２に設けた切欠４２ｂと第２プリント基板４０に搭載した短尺中継コネクタ６０の凹部６２を通って第２プリント基板４０よりも上方側へ突出している。このとき、短尺中継コネクタ６０の上端面と長尺中継コネクタ７０の上端面とが同一高さとなっている。また、第３プリント基板５０の導体５１と導通し長尺中継コネクタ７０の短尺部７１ｂで保持された端子５３が短尺中継コネクタ６０の端子収容室６３内に下方から挿入されて、第２プリント基板４０の導体４１と導通する短尺中継端子６４の雌端子部６４ａに嵌合接続している。これにより、第２プリント基板４０の導体４１と第３プリント基板５０の導体５１とを導通している。
【００２９】
積層体２０及び第１プリント基板３０と第２プリント基板４０とを組み付けた状態では、第１プリント基板３０の導体３１と導通した端子３３が第２プリント基板４０に搭載した短尺中継コネクタ６０の端子収容室６３内に上方から挿入されて、第２プリント基板４０の導体４１と導通する短尺中継端子６４の雌端子部６４ａに嵌合接続している。これにより、第１プリント基板３０の導体３１と第２プリント基板４０の導体４１とを導通している。
また、第１プリント基板３０の導体３１と導通した端子３２とバスバー２１に設けたタブ２１ａは、第２プリント基板４０の切欠４２ｂを通して第２プリント基板４０の上面側に突出した長尺中継コネクタ７０の端子収容室７２内に上方から挿入されて、該端子収容室７２内の長尺中継端子７３の上部側の雌端子部７３ａに嵌合接続している。よって、長尺中継端子７３を介して第３プリント基板５０の導体５１と導通する端子５２と第１プリント基板３０の導体３１と導通する端子３２あるいはバスバー２１のタブ２１ａを接続し、第１プリント基板３０の導体３１及びバスバー２１と第３プリント基板５０の導体５１とを導通している。
【００３０】
また、積層体２０のバスバー２１には、ヒューズ接続用の圧接タブ２１ｂ、コネクタ接続用のタブ２１ｃ、リレー接続用の圧接タブ２１ｄを設けており、タブ２１ｂ、２１ｃ、２１ｄをアッパーケース１１に設けたヒューズ収容部１１ａ、コネクタ収容部１１ｂ、リレー収容部１１ｃ内にそれぞれ突出させている。
第１プリント基板３０の導体３１には、前記端子３２、３３の他に端子３６、３７を半田付け接続しており、端子３６、３７をアッパーケース１１に設けたコネクタ収容部１１ｂ、中間ケース１２に設けたコネクタ収容部１２ａ内にそれぞれ突出させている。
第２プリント基板４０の導体４１にも端子４３を半田付け接続しており、該端子４３をロアケース１３に設けたコネクタ収容部１３ａ内に突出させている。
【００３１】
次に、積層体２０及び第１、第２、第３プリント基板３０、４０、５０の組付方法について説明する。
先ず、位置決め治具１００に設けたコネクタ保持枠１０１に、図７（Ａ）に示すように、第２プリント基板４０に搭載する短尺中継コネクタ６０を上下逆方向で配置する。該短尺中継コネクタ６０の端子収容室６３には、短尺中継端子６４を収容しており、該短尺中継端子６４の雄端子部６４ｂが短尺中継コネクタ６０から上方に向けて突出している。
次いで、図７（Ｂ）に示すように、位置決め治具１００に第２プリント基板４０を上下逆方向で配置し、第２プリント基板４０と短尺中継コネクタ６０とをネジ止めすると共に、第２プリント基板４０の貫通穴に短尺中継コネクタ６０から突出した短尺中継端子６４の雄端子部６４ｂを通して、該雄端子部６４ｂを導体４１に半田付けする。
【００３２】
次いで、長尺中継端子７３及び端子５２、５３を予め取り付け長尺中継コネクタ７０を上下逆方向で組み付ける。具体的には、図７（Ｃ）に示すように、長尺中継コネクタ７０の長尺部７１ａを第２プリント基板４０の切欠４２ｂと短尺中継コネクタ６０の凹部６２に通すと共に、長尺中継コネクタ７０に取り付けた端子５３を短尺中継コネクタ６０の両側部６１ｂに設けた端子収容室６３に挿入し、短尺中継端子６４の雌端子部６４ａに接続する。
次いで、図７（Ｄ）に示すように、長尺中継コネクタ７０上に第３プリント基板５０を上下逆方向で配置し、第３プリント基板５０と長尺中継コネクタ７０とをクリップ止めすると共に、第３プリント基板５０の貫通穴に長尺中継コネクタ７０に取り付けた端子５２、５３を通して、該端子５２、５３を導体５１に半田付けする。
【００３３】
最後に、前記工程により組み付けた第２プリント基板４０と第３プリント基板５０を位置決め治具１００から取り外し、中間ケース１２の一面側にプレス固定すると共に、予め組み付けた積層体２０と第１プリント基板３０を中間ケース１２の他面側にプレス固定する。このとき、積層体２０のバスバー２１に設けたタブ２１ａ及び第１プリント基板３０の導体３１に導通した端子３２、３３が中間ケース１２の貫通穴を通って第２、３プリント基板４０、５０に搭載した中継コネクタ６０、７０の端子収容室６３、７２に挿入され、端子収容室６３、７２内に収容した中継端子６４、７３の雌端子部６４ａ、７３ａに接続される。
【００３４】
前記構成によれば、第３プリント基板５０に搭載した長尺中継コネクタ７０の端子収容室７２に収容した長尺中継端子７３を介してバスバー２１のタブ２１ａ及び第１プリント基板３０の導体３１と導通した端子３２と第３プリント基板５０の導体５１と導通した端子５２を接続することができる。かつ、第２プリント基板４０に搭載した短尺中継コネクタ６０の端子収容室６３に収容した短尺中継端子６４を介して第１、第３プリント基板３０、５０の導体３１、５１と導通した端子３３、５３と第２プリント基板４０の導体４１とを接続することができる。
このように、電気接続箱１０の内部回路を積層体２０と３つの第１、第２、第３プリント基板３０、４０、５０に分割しているため、積層体及び各プリント基板を水平方向に小さくすることができ、電気接続箱１０を小型化することができる。
また、第３プリント基板５０に搭載した長尺中継コネクタ７０の長尺部７１ａを第２プリント基板４０に設けた切欠４２ｂを通して第１プリント基板３０側に突出させているため、第１プリント基板３０の導体３１に導通した端子３２と第３プリント基板５０の導体５１に導通した端子５２が長尺にならず容易に接続することができる。
さらに、第２プリント基板４０と第３プリント基板５０とを組み付ける際、第１プリント基板３０の導体３１と導通する端子３２と第３プリント基板５０の導体５１と導通する端子５２とを接続する長尺中継コネクタ７０の長尺部７１ａは第２プリント基板４０の切欠４２ｂを通しているだけであるため、接続に必要な荷重が大きくなりすぎることがなく、組付作業を容易にすることができる。
なお、本実施形態では、第１プリント基板の第２プリント基板との反対向面にのみバスバーと絶縁板とが交互に積層された積層体を配置しているが、第３プリント基板の第２プリント基板との反対向面に積層体を設けてもよいし、第１、第３プリント基板の両方の第２プリント基板との反対向面に積層体を配置してもよい。
【００３５】
図８及び図９は、本発明の第２実施形態を示す。
本実施形態では、第２プリント基板に搭載する短尺中継コネクタの形状を第１実施形態と相違させている。
即ち、本実施形態の第２プリント基板に搭載する短尺中継コネクタ８０は、ハウジング８１の両側部８１ａに端子収容室８２を複数並列させて設けると共に、該両側部に挟まれた中央部に貫通孔８１ｃを設けている。よって、第１実施形態の短尺中継コネクタでは中央部にも両側部とオフセット配置（位置ズレさせた配置）で端子収容室を設けているが、本実施形態の短尺中継コネクタ８０は中央部に端子収容室を設けておらず、中央部が両側部８１ａを連結する枠８１ｂとなっている。該枠８１ｂは必須ではないが該枠８１ｂを設けることにより短尺中継コネクタ８０を補強することができる。
また、端子収容室８２には、第１実施形態と同様の短尺中継端子６４を収容している。
【００３６】
図９に示すように、短尺中継コネクタ８０の貫通孔８１ｃを第２プリント基板４０の切欠４２ｂと対向する位置に配置し、第３プリント基板５０に搭載した長尺中継コネクタ７０の長尺部７１ａが第２プリント基板４０の切欠４１ｂと貫通孔８１ｃを通して第２プリント基板４０から第１プリント基板側に突出している。
【００３７】
前記構成によれば、第１実施形態のようにプリント基板の導体同士の接続を容易にすることができる。かつ、短尺中継コネクタ８０の中央部に端子収容室を設けない場合でも両側部を中央部に形成された枠８１ｂで連結しているため、短尺中継コネクタ８０の強度を高めることができる。よって、該短尺中継コネクタ８０内の短尺中継端子６４に第１、第３プリント基板の導体と導通した端子を嵌合接続する際に負荷を受けても短尺中継コネクタ８０の損傷や短尺中継コネクタ８０の第２プリント基板４０からの脱落を防止することができる。
また、第２プリント基板４０の同一辺に間隔をあけて別個の短尺中継コネクタを搭載する場合と比較して、プリント基板への搭載作業を容易にすることができる。
なお、他の構成及び作用効果は第１実施形態と同様のため、同一の符号を付して説明を省略する。
【００３８】
図１０は、本発明の第３実施形態を示す。
本実施形態の短尺中継コネクタ８０’は、中央部を設けていない点で第２実施形態の短尺中継コネクタと相違する。即ち、本実施形態の短尺中継コネクタ８０’は、端子収容室８２’を設けた一対の両側部８１ａ’のみからなり、別体の短尺中継コネクタ８０’をそれぞれ第２プリント基板４０の切欠４２ｂの両側に搭載している。
よって、図１０に示すように、第２プリント基板４０と第３プリント基板５０を組み付けた状態では、第３プリント基板５０に搭載した長尺中継コネクタ７０の長尺部７１ａが第２プリント基板４０の切欠４１ｂと２つの短尺中継コネクタ８０’の間を通して第２プリント基板４０から第１プリント基板側に突出している。
なお、他の構成及び作用効果は第２実施形態と同様のため、同一の符号を付して説明を省略する。
【図面の簡単な説明】
【００３９】
【図１】本発明の第１実施形態の電気接続箱の断面図である。
【図２】第３プリント基板に搭載する長尺中継コネクタを示し、（Ａ）は正面図、（Ｂ）は平面図、（Ｃ）はＡ−Ａ線断面図、（Ｄ）はＢ−Ｂ線断面図である。
【図３】第３プリント基板に長尺中継コネクタを搭載した状態を示す図面である。
【図４】第２プリント基板に搭載する短尺中継コネクタを示し、（Ａ）は平面図、（Ｂ）は正面図、（Ｃ）は底面図、（Ｄ）はＣ−Ｃ線断面図である。
【図５】第２プリント基板に短尺中継コネクタを搭載した状態を示し、（Ａ）は断面図、（Ｂ）は底面図である。
【図６】第２プリント基板と第３プリント基板を組み付けた状態を示し、（Ａ）は平面図、（Ｂ）は断面図である。
【図７】（Ａ）〜（Ｄ）は第２プリント基板と第３プリント基板の組付工程を示す図面である。
【図８】本発明の第２実施形態の第２プリント基板に搭載する短尺中継コネクタを示し、（Ａ）は平面図、（Ｂ）は正面図である。
【図９】第２プリント基板と第３プリント基板を組み付けた状態を示し、（Ａ）は平面図、（Ｂ）は断面図である。
【図１０】本発明の第３実施形態を示し、（Ａ）は平面図、（Ｂ）は正面図である。
【図１１】従来例を示す図面である。
【符号の説明】
【００４０】
１０  電気接続箱
１１  アッパーケース
１２  中間ケース
１３  ロアケース
２０  積層体
２１  バスバー
２１ａ  タブ
２２  絶縁板
３０  第１プリント基板
３１、４１、５１  導体
３２、３３、５２、５３  端子
４０  第２プリント基板
４２ｂ  切欠
５０  第３プリント基板
５５  基板実装リレー
６０、８０  第２プリント基板に搭載する短尺中継コネクタ
６２  凹部
６３  端子収容室
６４  短尺中継端子
７０  第３プリント基板に搭載する長尺中継コネクタ
７１ａ  長尺部
７１ｂ  短尺部
７２  端子収容室
７３  長尺中継端子
７５  端子収容室
８１ｃ  貫通孔
【図１】
2007028871.tif 000003
【図２】
2007028871.tif 000004
【図３】
2007028871.tif 000005
【図４】
2007028871.tif 000006
【図５】
2007028871.tif 000007
【図６】
2007028871.tif 000008
【図７】
2007028871.tif 000009
【図８】
2007028871.tif 000010
【図９】
2007028871.tif 000011
【図１０】
2007028871.tif 000012
【図１１】
2007028871.tif 000013
【手続補正書】
【提出日】平成18年5月12日(2006.5.12)
【手続補正１】
【補正対象書類名】特許請求の範囲
【補正対象項目名】全文
【補正方法】変更
【補正の内容】
【特許請求の範囲】
【請求項１】
ケース内に第１、第２、第３プリント基板が上下方向に間隔をあけて積層して収容され、
中間位置の前記第２プリント基板に、上方に突出させた短尺中継コネクタが搭載され、該短尺中継コネクタは上下方向の端子収容室の長さが小とされている一方、
下方位置の前記第３プリント基板に、上方に突出させた長尺中継コネクタが搭載され、
前記長尺中継コネクタは、上下方向の端子収容室の長さを大とした長尺部に、端子収容室の長さを小とした短尺部が段差をあけて連続して設けられ、
前記長尺部が上方の前記第２プリント基板の周縁に設けられた切欠を通して第１プリント基板側に突出され、
前記長尺部の端子収容室に長尺中継端子が収容され、該端子収容室の上下方向から挿入される第１、第３プリント基板の導体と導通された端子が、前記長尺中継端子を介して接続されている一方、
前記短尺部の端子収容室に第３プリント基板の導体と導通された端子が貫通保持され、該端子の突出部を前記第２プリント基板上の前記短尺中継コネクタの端子収容室に下方から挿入させて、前記短尺中継コネクタの端子収容室に収容された短尺中継端子と接続させ、あるいは、第１プリント基板の導体と導通された端子を前記第２プリント基板上の前記短尺中継コネクタの端子収容室に上方から挿入させて、前記短尺中継コネクタの端子収容室に収容された短尺中継端子と接続させ、
前記短尺中継端子は第２プリント基板の導体と導通させていることで、該短尺中継端子を介して第３プリント基板の導体と第２プリント基板の導体、あるいは、第１プリント基板の導体と第２プリント基板の導体が接続されていることを特徴とする電気接続箱。
【請求項２】
ケース内に第１、第２、第３プリント基板が上下方向に間隔をあけて積層して収容され、
中間位置の前記第２プリント基板に、上方に突出させた短尺中継コネクタが搭載され、該短尺中継コネクタは上下方向の端子収容室の長さが小とされている一方、
下方位置の前記第３プリント基板に、上方に突出させた長尺中継コネクタが搭載され、
前記長尺中継コネクタは上下方向の長さが大とされた端子収容部を備え、該端子収容部は上方の第２プリント基板の周縁に設けられた切欠を通して第１プリント基板側に突出されていると共に、該端子収容室には長尺中継端子が収容され、該端子収容室に上下両方から前記第１、第３プリント基板の導体と導通された端子が挿入されて、前記長尺中継端子を介して第１、第３プリント基板の導体同士が接続されている一方、
前記短尺中継コネクタの端子収容室には第２プリント基板の導体と導通した短尺中継端子が収容され、該端子収容室に挿入される第１、第３プリント基板のいずれか一方の導体と導通された端子が前記短尺中継端子と接続され、
前記第３プリント基板には基板実装リレーが搭載される一方、前記第２プリント基板に多重通信用回路が設けられていることを特徴とする電気接続箱。
【請求項３】
ケース内に第１、第２、第３プリント基板が上下方向に間隔をあけて積層して収容され、
中間位置の前記第２プリント基板に、上方に突出させた短尺中継コネクタが搭載され、該短尺中継コネクタは上下方向の端子収容室の長さが小とされている一方、
下方位置の前記第３プリント基板に、上方に突出させた長尺中継コネクタが搭載され、
前記長尺中継コネクタは上下方向の長さが大とされた端子収容部を備え、該端子収容部は上方の第２プリント基板の周縁に設けられた切欠を通して第１プリント基板側に突出されていると共に、該端子収容室には長尺中継端子が収容され、該端子収容室に上下両方から前記第１、第３プリント基板の導体と導通された端子が挿入されて、前記長尺中継端子を介して第１、第３プリント基板の導体同士が接続されている一方、
前記短尺中継コネクタの端子収容室には第２プリント基板の導体と導通した短尺中継端子が収容され、該端子収容室に挿入される第１、第３プリント基板のいずれか一方の導体と導通された端子が前記短尺中継端子と接続され、
さらに、バスバーと絶縁板とが交互に積層された積層体が、前記第１プリント基板より上方位置あるいは第３プリント基板より下方位置に配置され、
前記バスバーに設けたタブが前記長尺中継コネクタあるいは／および短尺中継コネクタの端子収容室内に挿入され、前記長尺中継端子、短尺中継端子を介して前記第１プリント基板、第２プリント基板あるいは／および第３プリント基板の導体と接続されていることを特徴とする電気接続箱。
【請求項４】
前記第２プリント基板上の前記短尺中継コネクタは、横長の中央部の両側に前面側に延在する両側部からなり、前記中央部と両側部に囲まれた凹部が設けられ、該凹部は第２プリント基板の切欠と対向する位置に配置し、前記第３プリント基板に搭載した長尺中継コネクタの長尺部分を第２プリント基板の切欠と前記凹部を通して第２プリント基板から第１プリント基板側に突出させている請求項１乃至請求項３のいずれか１項に記載の電気接続箱。
【請求項５】
前記短尺中継コネクタは前記第２プリント基板の切欠を挟む両側にそれぞれ搭載され、前記第３プリント基板に搭載した長尺中継コネクタの長尺部が第２プリント基板の切欠と第２プリント基板に搭載した２つの前記短尺中継コネクタ間を通して第２プリント基板から第１プリント基板側に突出している請求項１乃至請求項３のいずれか１項に記載の電気接続箱。
【手続補正２】
【補正対象書類名】明細書
【補正対象項目名】０００７
【補正方法】変更
【補正の内容】
【０００７】
前記課題を解決するため、本発明は、第１に、ケース内に第１、第２、第３プリント基板が上下方向に間隔をあけて積層して収容され、
中間位置の前記第２プリント基板に、上方に突出させた短尺中継コネクタが搭載され、該短尺中継コネクタは上下方向の端子収容室の長さが小とされている一方、
下方位置の前記第３プリント基板に、上方に突出させた長尺中継コネクタが搭載され、
前記長尺中継コネクタは、上下方向の端子収容室の長さを大とした長尺部に、端子収容室の長さを小とした短尺部が段差をあけて連続して設けられ、
前記長尺部が上方の前記第２プリント基板の周縁に設けられた切欠を通して第１プリント基板側に突出され、
前記長尺部の端子収容室に長尺中継端子が収容され、該端子収容室の上下方向から挿入される第１、第３プリント基板の導体と導通された端子が、前記長尺中継端子を介して接続されている一方、
前記短尺部の端子収容室に第３プリント基板の導体と導通された端子が貫通保持され、該端子の突出部を前記第２プリント基板上の前記短尺中継コネクタの端子収容室に下方から挿入させて、前記短尺中継コネクタの端子収容室に収容された短尺中継端子と接続させ、あるいは、第１プリント基板の導体と導通された端子を前記第２プリント基板上の前記短尺中継コネクタの端子収容室に上方から挿入させて、前記短尺中継コネクタの端子収容室に収容された短尺中継端子と接続させ、
前記短尺中継端子は第２プリント基板の導体と導通させていることで、該短尺中継端子を介して第３プリント基板の導体と第２プリント基板の導体、あるいは、第１プリント基板の導体と第２プリント基板の導体が接続されていることを特徴とする電気接続箱を提供している。
【手続補正３】
【補正対象書類名】明細書
【補正対象項目名】０００８
【補正方法】変更
【補正の内容】
【０００８】
また、本発明は、第２に、ケース内に第１、第２、第３プリント基板が上下方向に間隔をあけて積層して収容され、
中間位置の前記第２プリント基板に、上方に突出させた短尺中継コネクタが搭載され、該短尺中継コネクタは上下方向の端子収容室の長さが小とされている一方、
下方位置の前記第３プリント基板に、上方に突出させた長尺中継コネクタが搭載され、
前記長尺中継コネクタは上下方向の長さが大とされた端子収容部を備え、該端子収容部は上方の第２プリント基板の周縁に設けられた切欠を通して第１プリント基板側に突出されていると共に、該端子収容室には長尺中継端子が収容され、該端子収容室に上下両方から前記第１、第３プリント基板の導体と導通された端子が挿入されて、前記長尺中継端子を介して第１、第３プリント基板の導体同士が接続されている一方、
前記短尺中継コネクタの端子収容室には第２プリント基板の導体と導通した短尺中継端子が収容され、該端子収容室に挿入される第１、第３プリント基板のいずれか一方の導体と導通された端子が前記短尺中継端子と接続され、
前記第３プリント基板には基板実装リレーが搭載される一方、前記第２プリント基板に多重通信用回路が設けられていることを特徴とする電気接続箱を提供している。
【手続補正４】
【補正対象書類名】明細書
【補正対象項目名】０００９
【補正方法】変更
【補正の内容】
【０００９】
さらに、本発明は、第３に、ケース内に第１、第２、第３プリント基板が上下方向に間隔をあけて積層して収容され、
中間位置の前記第２プリント基板に、上方に突出させた短尺中継コネクタが搭載され、該短尺中継コネクタは上下方向の端子収容室の長さが小とされている一方、
下方位置の前記第３プリント基板に、上方に突出させた長尺中継コネクタが搭載され、
前記長尺中継コネクタは上下方向の長さが大とされた端子収容部を備え、該端子収容部は上方の第２プリント基板の周縁に設けられた切欠を通して第１プリント基板側に突出されていると共に、該端子収容室には長尺中継端子が収容され、該端子収容室に上下両方から前記第１、第３プリント基板の導体と導通された端子が挿入されて、前記長尺中継端子を介して第１、第３プリント基板の導体同士が接続されている一方、
前記短尺中継コネクタの端子収容室には第２プリント基板の導体と導通した短尺中継端子が収容され、該端子収容室に挿入される第１、第３プリント基板のいずれか一方の導体と導通された端子が前記短尺中継端子と接続され、
さらに、バスバーと絶縁板とが交互に積層された積層体が、前記第１プリント基板より上方位置あるいは第３プリント基板より下方位置に配置され、
前記バスバーに設けたタブが前記長尺中継コネクタあるいは／および短尺中継コネクタの端子収容室内に挿入され、前記長尺中継端子、短尺中継端子を介して前記第１プリント基板、第２プリント基板あるいは／および第３プリント基板の導体と接続されていることを特徴とする電気接続箱を提供している。
【手続補正５】
【補正対象書類名】明細書
【補正対象項目名】００１０
【補正方法】変更
【補正の内容】
【００１０】
前記構成によれば、第３プリント基板に搭載した長尺中継コネクタの端子収容室に収容した長尺中継端子を介して第１プリント基板の導体と導通した端子と第３プリント基板の導体と導通した端子を接続することができると共に、第２プリント基板に搭載した短尺中継コネクタの端子収容室に収容した短尺中継端子を介して第１、第３プリント基板の導体と導通した端子と第２プリント基板の導体とを接続することができる。
このように、電気接続箱の内部回路を少なくとも３つのプリント基板に分割しているため、各プリント基板を小さくすることができ、電気接続箱を小型化することができる。
また、第３プリント基板上の長尺中継コネクタを第２プリント基板に設けた切欠を通して第１プリント基板側に突出させているため、第１プリント基板の導体に導通した端子と第３プリント基板の導体に導通した端子がそれぞれ長尺になりすぎることがなく容易に接続することができる。
さらに、第２プリント基板に搭載した短尺中継コネクタ内の短尺中継端子と第３プリント基板の導体と導通する端子とを嵌合接続する際、第１プリント基板の導体と導通する端子と第３プリント基板の導体と導通する端子とを接続する長尺中継コネクタは第２プリント基板の切欠を通しているだけである。よって、このとき第３プリント基板の導体と導通する端子と長尺中継端子との嵌合接続作業をしていないため、接続に必要な荷重が大きくなりすぎることがなく、組付作業を容易にすることができる。
【手続補正６】
【補正対象書類名】明細書
【補正対象項目名】００１１
【補正方法】変更
【補正の内容】
【００１１】
また、第１の本発明によれば、第３プリント基板に搭載した長尺中継コネクタの短尺部に設けた端子収容室で第３プリント基板の導体に導通した端子を保持しているため、第３プリント基板の導体と端子とを接続する半田にかかる負荷を軽減して、半田クラックの発生を防止することができる。
【手続補正７】
【補正対象書類名】明細書
【補正対象項目名】００１２
【補正方法】変更
【補正の内容】
【００１２】
さらに、第２の本発明によれば、多重通信用回路を第２プリント基板に集中配置することにより、電気接続箱の内部回路を効率良く配置することができる。特に、本発明では、発熱量の多いパワー系回路を備えた第３プリント基板をケースの外面近くに配置すると共に、発熱量の少ない信号系回路（通信用回路）を備えた第２プリント基板を第１プリント基板と第３プリント基板とに挟まれたケース内側に配置しているため、放熱性の面でも好適な配置が可能となる。
また、信号系回路を第２プリント基板に集中配置する一方、パワー系回路を第３プリント基板に集中配置することにより、第２プリント基板の導体と第３プリント基板の導体をそれぞれ最適な厚さにすることができる。
さらに、通信用回路に変更が生じても第２プリント基板のみを変更することで容易に対応することができる。
【手続補正８】
【補正対象書類名】明細書
【補正対象項目名】００１３
【補正方法】変更
【補正の内容】
【００１３】
前記第２プリント基板上の前記短尺中継コネクタは、横長の中央部の両側に前面側に延在する両側部からなり、前記中央部と両側部に囲まれた凹部が設けられ、該凹部は第２プリント基板の切欠と対向する位置に配置し、前記第３プリント基板に搭載した長尺中継コネクタの長尺部分を第２プリント基板の切欠と前記凹部を通して第２プリント基板から第１プリント基板側に突出させていることが好ましい。
【手続補正９】
【補正対象書類名】明細書
【補正対象項目名】００１４
【補正方法】変更
【補正の内容】
【００１４】
前記構成によれば、第２プリント基板の同一辺に間隔をあけて別個の短尺中継コネクタを搭載するのではなく、第２プリント基板の切欠に対向する箇所に凹部を設けて１つの短尺中継コネクタとしているため、短尺中継コネクタの強度を高めることができる。これにより、短尺中継コネクタ内の短尺中継端子に第１、第３プリント基板の導体と導通した端子を嵌合接続する際に負荷を受けても短尺中継コネクタの損傷や短尺中継コネクタの第２プリント基板からの脱落を防止することができる。
また、第２プリント基板の同一辺に間隔をあけて別個の短尺中継コネクタを搭載する場合と比較して、プリント基板への搭載作業を容易にすることができる。
【手続補正１０】
【補正対象書類名】明細書
【補正対象項目名】００１５
【補正方法】変更
【補正の内容】
【００１５】
また、前記短尺中継コネクタは前記第２プリント基板の切欠を挟む両側にそれぞれ搭載され、前記第３プリント基板に搭載した長尺中継コネクタが第２プリント基板の切欠と第２プリント基板に搭載した２つの前記短尺中継コネクタ間を通して第２プリント基板から第１プリント基板側に突出している構成としてもよい。
【手続補正書】
【提出日】平成18年8月21日(2006.8.21)
【手続補正１】
【補正対象書類名】特許請求の範囲
【補正対象項目名】全文
【補正方法】変更
【補正の内容】
【特許請求の範囲】
【請求項１】
ケース内に第１、第２、第３プリント基板が上下方向に間隔をあけて積層して収容され、中間位置の前記第２プリント基板に、上方に突出させた短尺中継コネクタが搭載され、該短尺中継コネクタは上下方向の端子収容室の長さが小とされている一方、
下方位置の前記第３プリント基板に、上方に突出させた長尺中継コネクタが搭載され、前記長尺中継コネクタは、上下方向の端子収容室の長さを大とした長尺部に、端子収容室の長さを小とした短尺部が段差をあけて連続して設けられ、
前記長尺部が上方の前記第２プリント基板の周縁に設けられた切欠を通して第１プリント基板側に突出され、
前記長尺部の端子収容室に長尺中継端子が収容され、該端子収容室の上下方向から挿入される第１、第３プリント基板の導体と導通された端子が、前記長尺中継端子を介して接続されている一方、
前記短尺部の端子収容室に第３プリント基板の導体と導通された端子が貫通保持され、該端子の突出部を前記第２プリント基板上の前記短尺中継コネクタの端子収容室に下方から挿入させて、前記短尺中継コネクタの端子収容室に収容された短尺中継端子と接続させ、あるいは、第１プリント基板の導体と導通された端子を前記第２プリント基板上の前記短尺中継コネクタの端子収容室に上方から挿入させて、前記短尺中継コネクタの端子収容室に収容された短尺中継端子と接続させ、
前記短尺中継端子は第２プリント基板の導体と導通させていることで、該短尺中継端子を介して第３プリント基板の導体と第２プリント基板の導体、あるいは、第１プリント基板の導体と第２プリント基板の導体が接続されていることを特徴とする電気接続箱。
【請求項２】
前記第３プリント基板には基板実装リレーが搭載される一方、前記第２プリント基板に多重通信用回路が設けられている請求項１に記載の電気接続箱。
【請求項３】
前記第１プリント基板より上方位置あるいは第３プリント基板より下方位置にバスバーと絶縁板とが交互に積層された積層体が配置され、
前記バスバーに設けたタブが前記長尺中継コネクタあるいは／および短尺中継コネクタの端子収容室内に挿入され、前記長尺中継端子、短尺中継端子を介して前記第１プリント基板、第２プリント基板あるいは／および第３プリント基板の導体と接続されている請求項１または請求項２に記載の電気接続箱。
【請求項４】
前記第２プリント基板上の前記短尺中継コネクタは、横長の中央部の両側に前面側に延在する両側部からなり、前記中央部と両側部に囲まれた凹部が設けられ、該凹部は第２プリント基板の切欠と対向する位置に配置し、前記第３プリント基板に搭載した長尺中継コネクタの長尺部分を第２プリント基板の切欠と前記凹部を通して第２プリント基板から第１プリント基板側に突出させている請求項１乃至請求項３のいずれか１項に記載の電気接続箱。
【請求項５】
前記短尺中継コネクタは前記第２プリント基板の切欠を挟む両側にそれぞれ搭載され、前記第３プリント基板に搭載した長尺中継コネクタの長尺部が第２プリント基板の切欠と第２プリント基板に搭載した２つの前記短尺中継コネクタ間を通して第２プリント基板から第１プリント基板側に突出している請求項１乃至請求項３のいずれか１項に記載の電気接続箱。
【手続補正２】
【補正対象書類名】明細書
【補正対象項目名】０００８
【補正方法】変更
【補正の内容】
【０００８】
前記第３プリント基板には基板実装リレーが搭載される一方、前記第２プリント基板に多重通信用回路が設けられていることが好ましい。
【手続補正３】
【補正対象書類名】明細書
【補正対象項目名】０００９
【補正方法】変更
【補正の内容】
【０００９】
さらに、バスバーと絶縁板とが交互に積層された積層体が、前記第１プリント基板より上方位置あるいは第３プリント基板より下方位置に配置され、
前記バスバーに設けたタブが前記長尺中継コネクタあるいは／および短尺中継コネクタの端子収容室内に挿入され、前記長尺中継端子、短尺中継端子を介して前記第１プリント基板、第２プリント基板あるいは／および第３プリント基板の導体と接続されていることが好ましい。
【手続補正４】
【補正対象書類名】明細書
【補正対象項目名】００１１
【補正方法】変更
【補正の内容】
【００１１】
また、本発明によれば、第３プリント基板に搭載した長尺中継コネクタの短尺部に設けた端子収容室で第３プリント基板の導体に導通した端子を保持しているため、第３プリント基板の導体と端子とを接続する半田にかかる負荷を軽減して、半田クラックの発生を防止することができる。
【手続補正５】
【補正対象書類名】明細書
【補正対象項目名】００１２
【補正方法】変更
【補正の内容】
【００１２】
さらに、本発明によれば、多重通信用回路を第２プリント基板に集中配置することにより、電気接続箱の内部回路を効率良く配置することができる。特に、本発明では、発熱量の多いパワー系回路を備えた第３プリント基板をケースの外面近くに配置すると共に、発熱量の少ない信号系回路（通信用回路）を備えた第２プリント基板を第１プリント基板と第３プリント基板とに挟まれたケース内側に配置しているため、放熱性の面でも好適な配置が可能となる。
また、信号系回路を第２プリント基板に集中配置する一方、パワー系回路を第３プリント基板に集中配置することにより、第２プリント基板の導体と第３プリント基板の導体をそれぞれ最適な厚さにすることができる。
さらに、通信用回路に変更が生じても第２プリント基板のみを変更することで容易に対応することができる。